(57)【要約】【課題】この発明は被梱包物の梱包を容易に行なえ、しかも横移動も容易に行なえるようにした梱包装置を提供することにある。【解決手段】被梱包物を梱包する梱包装置において、上記被梱包物が載置される基台１と、この基台の所定方向一端部の幅方向の少なくとも両端部に設けられ上記基台の他端部を上昇させたときにこの基台を走行可能に支持する複数の車輪８と、上記基台の周縁部に下端部が着脱可能に連結され上記基台に載置された上記被梱包物の外周面を覆う側枠体１４とを具備する。【選択図】　　図１
2004067152.tif 000002
【特許請求の範囲】
【請求項１】
被梱包物を梱包する梱包装置において、
上記被梱包物が載置される基台と、
この基台の所定方向一端部の幅方向の少なくとも両端部に設けられ上記基台の他端部を上昇させたときにこの基台を走行可能に支持する複数の車輪と、
上記基台の周縁部に下端部が着脱可能に連結され上記基台に載置された上記被梱包物の外周面を覆う側枠体と、
を具備したことを特徴とする梱包装置。
【請求項２】
上記側枠体は、上記被梱包物の一側面の全体を覆う主枠部及び上記一側面に隣接する一対の側面の端部を覆う端枠部とによって平面形状がほぼコ字状に形成された一対の側枠に分割されていて、
一対の側枠はそれぞれの主枠部が被梱包物の対向する一対の側面を覆う状態で上記基台に下端部が連結されるとともに、互いの端枠部がベルトによって連結されることを特徴とする請求項１記載の梱包装置。
【請求項３】
上記基台の所定方向一端部の幅方向の少なくとも両端部には上記車輪を回転可能に支持するハウジングが設けられ、このハウジングは上記車輪の側面の一部を露出させる形状に形成されていて、上記基台の所定方向他端部を上昇させたときにこの基台は上記車輪の上記ハウジングから露出した部分によって走行可能に支持されることを特徴とする請求項１記載の梱包装置。
【請求項４】
上記被梱包物には、その上面を覆う上部壁及び外周面を覆う周壁とが一体形成された緩衝材が設けられることを特徴とする請求項１記載の梱包装置。
【請求項５】
上記基台の周縁部の上端には第１の係合部材が設けられ、上記側枠の下端には上記第１の係合部材にスライド可能に係合する第２の係合部材が設けられていることを特徴とする請求項１記載の梱包装置。
【発明の詳細な説明】
【０００１】
【発明の属する技術分野】
この発明はたとえば電気温水器や大型冷蔵庫などのような縦長の被梱包物を梱包するのに好適する梱包装置に関する。
【０００２】
【従来の技術】
一般に、上述した電気温水器や大型冷蔵庫などのような縦長の被梱包物を梱包するには段ボール製や木製の梱包装置が用いられていた。段ボール製の梱包装置は、被梱包物の外周面を覆う胴枠と、上面と下面とを覆う上下キャップとがそれぞれ段ボールによって作られており、これら胴枠と上下キャップとで被梱包物を覆った後、樹脂製のバンドで結束することで、梱包が行なわれていた。
【０００３】
木製の梱包装置は、被梱包物を収容する上面が開口した箱形の木枠と、この木枠の上面を閉塞する木製の蓋枠とによって構成され、木枠をくぎやワイヤなどの連結具を用いて箱形に組みながら被梱包物の底部及び外周面を覆った後、上面開口に蓋枠を設け、同様にくぎやワイヤなどの連結具によって固定することで、梱包が行なわれていた。
【０００４】
【発明が解決しようとする課題】
段ボールを用いて梱包した場合、運搬時の取り扱いによって胴枠や上下キャップが擦られると容易に破損してしまうということがあるため、耐久性に劣るということがあり、木枠を用いて梱包する場合には、梱包や開梱時に工具が必要となるため、それらの作業が容易でないということがあった。しかも、段ボールや木材は廃棄物として処理しなければならないから、そのための手間や経費も掛かることになる。
【０００５】
梱包された被梱包物は、ほとんどの場合、倉庫内やトラックの荷台上あるいはユーザへの搬入時などに横移動させることが要求される。縦長の被梱包物は横移動時の取り扱いが容易でなく、とくに重量物の場合には容易に横移動させることができないことがある。
【０００６】
そのため、被梱包物を横移動させるときには、運搬用の荷役機器を用いなければならないことが多いため、作業能率が悪いばかりか、荷役機器がない場合には横移動が困難になることもある。
【０００７】
この発明は、梱包作業が容易に行なえ、しかも横移動も容易に行なうことができる梱包装置を提供することにある。
【０００８】
【課題を解決するための手段】
請求項１の発明は、被梱包物を梱包する梱包装置において、
上記被梱包物が載置される基台と、
この基台の所定方向一端部の幅方向の少なくとも両端部に設けられ上記基台の他端部を上昇させたときにこの基台を走行可能に支持する複数の車輪と、
上記基台の周縁部に下端部が着脱可能に連結され上記基台に載置された上記被梱包物の外周面を覆う側枠体と、
を具備したことを特徴とする梱包装置にある。
【０００９】
請求項２の発明は、上記側枠体は、上記被梱包物の一側面の全体を覆う主枠部及び上記一側面に隣接する一対の側面の端部を覆う端枠部とによって平面形状がほぼコ字状に形成された一対の側枠に分割されていて、
一対の側枠はそれぞれの主枠部が被梱包物の対向する一対の側面を覆う状態で上記基台に下端部が連結されるとともに、互いの端枠部がベルトによって連結されることを特徴とする請求項１記載の梱包装置にある。
【００１０】
請求項３の発明は、上記基台の所定方向一端部の幅方向の少なくとも両端部には上記車輪を回転可能に支持するハウジングが設けられ、このハウジングは上記車輪の側面の一部を露出させる形状に形成されていて、上記基台の所定方向他端部を上昇させたときにこの基台は上記車輪の上記ハウジングから露出した部分によって走行可能に支持されることを特徴とする請求項１記載の梱包装置にある。
【００１１】
請求項４の発明は、上記被梱包物には、その上面を覆う上部壁及び外周面を覆う周壁とが一体形成された緩衝材が設けられることを特徴とする請求項１記載の梱包装置にある。
【００１２】
請求項５の発明は、上記基台の周縁部の上端には第１の係合部材が設けられ、上記側枠の下端には上記第１の係合部材にスライド可能に係合する第２の係合部材が設けられていることを特徴とする請求項１記載の梱包装置にある。
【００１３】
この発明によれば、基台に対して側枠を着脱可能に連結することで、基台上に載置される縦長の被梱包物を梱包することができ、しかも基台を傾斜させれば車輪によって走行可能に支持することができるから、被梱包物を横移動させることができる。
【００１４】
【発明の実施の形態】
以下、図面を参照しながらこの発明の一実施の形態を説明する。
【００１５】
図１はこの発明の一実施の形態に係る梱包装置を示し、この梱包装置は基台１を備えている。この基台１は図４に示すように金属製の角パイプからなる一対の側部材２が金属製の帯状板からなる一対の連結部材３によって所定の間隔で連結されている。
【００１６】
図１に示すように、上記側部材２の前端部は上方に向かって立ち上がる円弧状部４に曲成され、後端にはハウジング５が取付けられている。つまり、一対のハウジング５が基台１の所定方向一端部（後端部とする）の幅方向両端に設けられている。このハウジング５の下端面は基台１の下端面とほぼ同じ高さになっている。
【００１７】
一対の側部材２の円弧状部４の上端と、一対のハウジング５の上面とには、それぞれ第１の係合部材６が両端を固着して架設されている。この第１の係合部材６は、図６に示すように断面形状がほぼＵ字状をなしていて、その両側上端には幅方向内方に向かって低く傾斜し、下端が所定間隔で対向した一対の係合片７が設けられている。つまり、第１の係合部材６は、断面形状がほぼＭ字状をなしている。
【００１８】
図５に示すように、上記ハウジング５には車輪８が支軸９によって回転可能に支持されている。ハウジング５の下端と車輪８の下端とはほぼ同じ高さ或いは車輪８がハウジング５の下端よりもわずかに高い位置或いは低い位置に設定されている。この実施の形態では、車輪８の下端がハウジング５の下端よりもわずかに上方に位置している。それによって、基台１は車輪８によってずれ動くことなく設置できるようになっている。
【００１９】
上記ハウジング５の下端と後端とがなす角部は、所定の曲率半径の円弧部１１に形成されており、この円弧部１１によって車輪８の側面の一部が露出している。したがって、上記基台１を前端部側が上昇するよう傾斜させれば、後端部に設けられた一対の車輪８のハウジング５の円弧部１１から露出した部分によって基台１は走行可能に支持される。
【００２０】
上記基台１の一対の連結部材３上には図２と図３に鎖線で示すように電気温水器や大型冷蔵庫などの縦長の被梱包物１３が載置される。被梱包物１３の下面にはねじ孔を有する脚１３ａ（この実施の形態では３本）が設けられていることがあり、その場合、被梱包物１３はその脚１３ａを上記連結部材３に形成された取付け孔３ａ（図４に示す）に図示しないねじ止を介して載置固定される。
【００２１】
上記基台１上に載置された被梱包物１３は外周面が側枠体１４によって覆われる。この側枠体１４はアルミニウムなどの金属からなる一対の側枠１５に分割されている。この側枠１５は基台１の前後方向の長さ寸法とほぼ同じ幅寸法の主枠部１５ａと、この主枠部１５ａの幅方向両端に、主枠部１５ａに対してほぼ直角に設けられた一対の端枠部１５ｂとによって平面形状がほぼコ字状に形成されている。端枠部１５ｂは主枠部１５ａに比べて幅寸法が十分に小さくなっている。
【００２２】
上記主枠部１５ａの下端には金属製の角パイプをほぼＵ字状に曲成したストッパ部材１６が取付けられ、端枠部１５ｂの下端には図６に示すように第２の係合部材１７が固着されている。この第２の係合部材１７は、上記第１の係合部材６の一対の係合片７の下端に係合する一対の鍔部１８を有する、ほぼ帽子形状をなしていて、上記第１の係合部材６にスライド可能に係合させることができるようになっている。
【００２３】
つまり、第２の係合部材１７は、第１の係合部材６の長手方向の端部から挿入され、その一対の鍔部１８を第１の係合部材６の係合片７の下端に係合させることで、側枠１５が基台１に着脱可能に連結されるようになっている。
【００２４】
上記基台１の側部材２の外面にはチャンネル部材１９が長手方向に沿って設けられ、このチャンネル部材１９には側枠１５の下端に設けられたストッパ部材１６が係合する。したがって、側枠１５は、基台１に対して第１の係合部材６と第２の係合部材１７との係合によって連結されるとともに、チャンネル部材１９とストッパ部材１６との係合によっても着脱可能に連結されることになる。
【００２５】
基台１の幅方向両側に一対の側枠１５を取付けると、この側枠１５の主枠部１５ａによって被梱包物１３の対向する一対の側面が覆われ、一対の端枠部１５によって被梱包物１３の残りの一対の側面の幅方向両端部が覆われる。つまり、被梱包物１３は一対の側枠１５によって４つの側面が覆われる。
【００２６】
各側枠１５の端枠部１５ｂの上端部と下端部とにはそれぞれ鞍状の係止部材２１が固着されている。一対の側枠１５を基台１に取付けた後、被梱包物１３の前面と背面との幅方向両端部を覆う各一対の端枠部１５ｂの上端部と下端部との各一対の係止部材２１にはベルト２２が通され、所定のテンションで止め金具２３によって固定される。
【００２７】
被梱包物１３の上端部には、図１乃至図３に示すようにこの被梱包物１３の上面の周辺部を覆う枠状の上面壁２４ａ及び外周面を覆う周壁２４ｂとが発泡スチロールなどの弾性材によって一体成形された緩衝材２４が装着される。この緩衝材２４の周壁２４ｂは上記被梱包物１３の外周面と、一対の側枠１５の内面との間に位置する。
【００２８】
したがって、一対の側枠１５をベルト２２によって締めると、上記緩衝材２４が側枠１５によって押圧されるから、被梱包物１３の上端部が上記緩衝材２４を介して上記側枠１５により保持固定されることになる。
【００２９】
このような構成の梱包装置によって被梱包物１３を梱包するには、まず、被梱包物１３を基台１上に載置固定したのち、この被梱包物１３の上端に緩衝材２４を装着する。
【００３０】
つぎに、各側枠１５のそれぞれ一対の端枠部１５ｂの下端に設けられた第２の係合部材１７を、上記基台１の前端縁と後端縁との上端に設けられた第１の係合部材６に係合させ、側枠１５を上記基台１に連結する。
【００３１】
側枠１５を基台１に連結したならば、被梱包物１３の前面と背面とに位置するそれぞれ一対の端枠部１５ｂを、それらの上端部と下端部とに設けられた係止部材２１を介してベルト２２により連結固定する。それによって、被梱包物１３は基台１、一対の側枠１５及び緩衝材２４によって上下面及び外周面が梱包されることになる。
【００３２】
すなわち、上記構成の梱包装置によれば、基台１上に被梱包物１３を載置固定した後、一対の側枠１５を基台１に連結するとともに、これら一対の側枠１５をベルト２２によって連結することで、被梱包物１３を梱包することができる。したがって、被梱包物１３の梱包作業を容易に、しかも迅速に行なうことができる。
【００３３】
上記基台１の後端部には一対の車輪８が設けられ、基台１の前端部側を上昇させると、上記基台１を上記車輪８によって走行可能に支持することができる。そのため、倉庫内やトラックの荷台上、さらにはユーザへの搬入時などに被梱包物１３を容易に横移動させることができる。
【００３４】
とくに、被梱包物１３が電気温水器や大型冷蔵庫などのように縦長であると、基台１を後端部に設けられた車輪８を支点として前端部が上昇する傾斜状態に倒し易いから、被梱包物１３の横移動を容易に行なうことができる。
【００３５】
被梱包物１３の解梱作業は、梱包時と逆に行なえばよい。つまり、側枠１５の端枠部１５ｂを連結したベルト２２を外したのち、側枠１５を被梱包物１３から離れる方向にスライドさせ、基台１に設けられた第１の係合部材６と、側枠１５に設けられた第２の係合部材１７との係合状態を解除する。ついで、被梱包物１３の上端部に装着された緩衝材２４を取り外した後、この被梱包物１３と基台１との連結状態を解除すればよい。
【００３６】
すなわち、被梱包物１３の解梱作業も、梱包作業と同様、迅速かつ容易に行なうことができる。
【００３７】
図７（ａ）、（ｂ）は解梱後におけるおける梱包装置を示す。すなわち、一対の側枠１５を互いの端枠部１５ｂを向い合わせて重ね合わせ、これら側枠１５の端枠部１５ｂの幅寸法によって形成された一対の主枠部１５ａ間の空間部Ｓに基台１を挿入し、この状態でこれら三者を梱包時に一対の側枠５を連結するために用いたベルト２２によって締結する。それによって、解梱後における梱包装置をコンパクトに纏めることができるから、繰り返して使用する場合の回収作業や取り扱いが容易となる。
【００３８】
すなわち、側枠体１４を一対の側枠１５に分割し、しかも側枠１５を主枠部１５ａ及び主枠部１５ａに比べて幅寸法が十分に小さい端枠部１５ｂによって形成したから、解梱後の梱包装置をコンパクトに纏めることができ、しかも端枠部１５ｂを十分に小さくした分だけ軽量な状態で取り扱うことができる。
【００３９】
なお、緩衝材２４は再使用可能であれば、一対の主枠部１５ａ間の空間部に基台１とともに収容すればよく、再使用不能の場合には廃棄処理すればよい。
【００４０】
この発明は上記一実施の形態に限定されるものでなく、たとえば基台の後端部には幅方向両端部に一対の車輪を設けたが、車輪の数は一対に限られず、基台の後端部の幅方向中途部にも１つもしくは複数の車輪を設けるようにしてもよい。
【００４１】
基台と側枠とを着脱可能に連結するため、基台の前端と後端とに第１の係合部材を設け、側枠の下端に第２の係合部材を設けるようにしたが、基台の上端もしくは側枠の下端のどちらか一方に連結軸、他方に連結軸が着脱可能に連結される受け具を設けることで、側枠を基台に着脱可能に連結するようにしてもよく、基台と側枠とを着脱可能に連結するための具体的な構造はなんら限定されるものでない。
【００４２】
【発明の効果】
以上のようにこの発明によれば、基台に対して側枠を着脱可能に連結することで、基台上に載置される縦長の被梱包物を梱包することができるようにしたから、被梱包物の梱包及び解梱作業を容易に、しかも迅速に行なうことができる。
【００４３】
上記基台の所定方向一端部に車輪を設け、基台を所定方向の他端部が上昇する状態に傾斜させれば、上記車輪によって基台を走行可能に支持することができるため、被梱包物を容易に横移動させることができ、とくに被梱包物が縦長の場合には基台を傾斜させ易いため、横移動も容易となる。
【図面の簡単な説明】
【図１】この発明の一実施の形態に係る梱包装置の斜視図。
【図２】梱包装置の側面図。
【図３】梱包装置の背面図。
【図４】基台の平面図。
【図５】基台の車輪が設けられた後端部分の拡大図。
【図６】図５のＡ部分の拡大図。
【図７】（ａ）は回収時の梱包装置の側面図、（ｂ）同じく平面図。
【符号の説明】
１…基台
５…ハウジング
６…第１の係合部材
８…車輪
１３…被梱包物
１４…側枠体
１５…側枠
１７…第２の係合部材
２２…ベルト
２４…緩衝材
【図１】
2004067152.tif 000003
【図２】
2004067152.tif 000004
【図３】
2004067152.tif 000005
【図４】
2004067152.tif 000006
【図５】
2004067152.tif 000007
【図６】
2004067152.tif 000008
【図７】
2004067152.tif 000009